(57)【特許請求の範囲】
【請求項１】
複数本の縦方向熱溶着線と複数本の横方向熱溶着線で両外側フィルムを接着して複数の気室が形成されてなる気室シートを提供することと、
熱溶着方法により前記外側フィルムを接着し、前記気室、或いは、前記縦方向熱溶着線に複数の曲がり部が形成されることと、
前記気室シートに前記横方向熱溶着線に平行する中折れ線が設けられることと、
前記中折れ線の両側に所定距離の各々間隔がある複数の節点が設けられることと、
前記中折れ線に沿って前記気室シートを曲げることと、
複数本の側辺熱溶着線で熱溶着方法により曲げた後の前記気室シートの両側辺を接着することと、を含み、
前記側辺熱溶着線が前記気室シートの一端から前記節点までに延伸し、前記気室シートの両側辺の前記節点と前記中折れ線の間に曲がりゾーンの非熱溶着セクションが形成され、前記気室シートに空気が注入された後、前記気室シートは前記曲がり部間に底面を形成し、前記曲がりゾーンの非熱溶着セクションが膨張して三角形状の開口を形成し、また、前記開口の底部に支持面が形成されることを特徴とする、
気室の曲がりゾーンに開口を予め設けた緩衝空気袋の製造方法。
【請求項２】
熱溶着方法により接着して前記外側フィルム間に定位され、一部が前記気室間に位置する少なくとも１個の閉止弁を提供することを更に含むことを特徴とする請求項１に記載の気室の曲がりゾーンに開口を予め設けた緩衝空気袋の製造方法。
【請求項３】
熱溶着方法により前記外側フィルムを接着し、前記気室の側辺に空気注入通路が形成され、前記空気注入通路が前記気室に連通し、前記閉止弁は両内側フィルムを含み、また前記内側フィルム間に耐熱材が設けられ、熱溶着方法により前記外側フィルムと前記内側フィルムを接着して少なくとも１個の入気口を形成し、各前記気室と前記空気注入通路の連通に用いられることを更に含むことを特徴とする請求項２に記載の気室の曲がりゾーンに開口を予め設けた緩衝空気袋の製造方法。
【請求項４】
前記側辺熱溶着線は、前記気室シートの一番外側にある２本の前記縦方向熱溶着線に位置することを特徴とする請求項１に記載の気室の曲がりゾーンに開口を予め設けた緩衝空気袋の製造方法。
【請求項５】
前記外側フィルムには、前記曲がりゾーンの非熱溶着セクション箇所に熱溶着方法により接着して少なくとも１つの熱溶着ゾーンが形成され、前記熱溶着ゾーンの幅が前記気室の幅より短く、前記熱溶着ゾーンの長さが前記曲がりゾーンの非熱溶着セクションの長さより短いか等しいことで、前記気室の前記曲がりゾーンの非熱溶着セクションにおける面積を縮小することを特徴とする請求項１に記載の気室の曲がりゾーンに開口を予め設けた緩衝空気袋の製造方法。
【請求項６】
複数本の縦方向熱溶着線と複数本の横方向熱溶着線で接着した両外側フィルムが形成された複数の気室からなる気室シートと、
熱溶着方法により前記外側フィルムを接着し、前記気室、或いは、前記縦方向熱溶着線の上に形成される複数の曲がり部と、
前記気室シートに位置し、前記横方向熱溶着線に平行する中折れ線と、
前記中折れ線の両側に位置し、前記中折れ線と所定距離の間隔がある複数の節点と、
前記気室シートにおいて前記中折れ線に沿って曲がった後の前記気室シートの両側辺を熱接着し、前記気室シートの一端から前記節点まで延伸し、前記気室シートの両側辺の前記節点と前記中折れ線の間に曲がりゾーンの非熱溶着セクションが形成される複数本の側辺熱溶着線と、を含み、
前記気室シートに空気が注入された後前記気室シートが前記曲がり部の間に底面が形成され、前記曲がりゾーンの非熱溶着セクションが膨張して三角形状の開口を形成し、前記開口の底部に支持面が形成されることを特徴とする、
気室の曲がりゾーンに開口を予め設けた緩衝空気袋。
【請求項７】
熱溶着方法により接着して前記外側フィルム間に定位され、一部が前記気室間に位置する少なくとも１個の閉止弁を更に含むことを特徴とする請求項６に記載の気室の曲がりゾーンに開口を予め設けた緩衝空気袋。
【請求項８】
熱溶着方法により前記外側フィルムを接着し、前記気室の側辺に形成され、前記気室に連通する空気注入通路を更に含み、前記閉止弁は両内側フィルムを含み、また、前記内側フィルム間に耐熱材が設けられ、熱溶着方法により前記外側フィルムと前記内側フィルムを接着して各前記気室と前記空気注入通路の連通に用いられる少なくとも１個の入気口が形成されることを特徴とする請求項７に記載の気室の曲がりゾーンに開口を予め設けた緩衝空気袋。
【請求項９】
前記側辺熱溶着線は、前記気室シートの一番外側にある２本の前記縦方向熱溶着線に位置することを特徴とする請求項６に記載の気室の曲がりゾーンに開口を予め設けた緩衝空気袋。
【請求項１０】
前記外側フィルムは、前記曲がりゾーンの非熱溶着セクション箇所に熱溶着方法により接着して少なくとも１つの熱溶着ゾーンが形成され、前記熱溶着ゾーンの幅が前記気室の幅より短く、前記熱溶着ゾーンの長さが前記曲がりゾーンの非熱溶着セクションの長さより短いか等しいことで、前記気室の前記曲がりゾーンの非熱溶着セクションにおける面積を縮小することを特徴とする請求項６に記載の気室の曲がりゾーンに開口を予め設けた緩衝空気袋。
【発明の詳細な説明】
【技術分野】
【０００１】
本発明は、気室付き袋の構造及びその製造方法に関し、特に、気室の曲がりゾーンに開口を予め設けた緩衝空気袋及びその製造方法に関する。
【背景技術】
【０００２】
現在、物品を包装する際、大半が気泡緩衝シート或いは発泡スチロールで包装物を包んでいる。しかしこれらには緩衝効果が不良であったり又は環境汚染を引き起こす等の問題がある。
気泡緩衝シートと発泡スチロールのこれらの欠陥を解決するため、気体包装袋が開発された。これは熱溶着を経て密封状態になって気室を形成し、且つ空気注入のための空気注入口が設けられ、気体が空気注入口を経由して気室に注入された後、気体包装袋を内包装の中で緩衝材として使用できる。
【発明の概要】
【発明が解決しようとする課題】
【０００３】
しかしながら一般的な包装袋は空気を注入して膨張させた後、底部の曲がりゾーンが通常でも平坦形状にならないため、しばしば気体の圧力圧縮により自然に外へ突起する問題が生じていた。一般的な包装袋は膨張した後、底部の突出等の問題により、包装袋をテーブル面に安定して放置できない。
【課題を解決するための手段】
【０００４】
そこで、本発明は上記のような従来の技術的な問題点に鑑みて、次の緩衝空気袋を提供する。
本発明の気室の曲がりゾーンに開口を予め設けた緩衝空気袋は、複数本の縦方向熱溶着線と複数本の横方向熱溶着線で接着した両外側フィルムが形成された複数の気室からなる気室シートと、熱溶着方法により両外側フィルムを接着し、複数の気室或いは複数本の縦方向熱溶着線の上で構成される複数の曲がり部と、気室シートに位置し、実質的に横方向熱溶着線に平行する中折れ線と、中折れ線の両側に位置し、中折れ線と所定距離の間隔がある複数の節点と、気室シートにおいて中折れ線に沿って曲がった後の気室シートの両側辺を熱接着し、該気室シートの一端から複数の節点まで延伸し、気室シートの両側辺が複数の節点と中折れ線の間に曲がりゾーンの非熱溶着セクションが形成される複数本の側辺熱溶着線と、を含む。
気室シートに空気が注入された後気室シートの複数の曲がり部の間に底面が形成され、曲がりゾーンの非熱溶着セクションが膨張して側面多辺形の開口を形成し、開口の底部に支持面が形成される。
【０００５】
本発明では気室の曲がりゾーンに開口を予め設けた緩衝空気袋の製造方法も提供し、複数本の縦方向熱溶着線と複数本の横方向熱溶着線で両外側フィルムを接着して複数の気室が形成されてなる気室シートを提供することと、熱溶着方法により両外側フィルムを接着し、複数の気室或いは複数本の縦方向熱溶着線に複数の曲がり部が形成されることと、気室シートに実質上横方向熱溶着線に平行する中折れ線が設けられることと、中折れ線の両側に所定距離の各々間隔がある複数の節点が設けられることと、中折れ線に沿って気室シートを曲げることと、複数本の側辺熱溶着線で熱溶着方法により曲げた後の気室シートの両側辺を接着することと、を含む。
複数本の側辺熱溶着線が該気室シートの一端から複数の節点までに延伸し、気室シート両側辺の複数の節点と中折れ線の間に曲がりゾーンの非熱溶着セクションが形成され、気室シートに空気が注入された後、気室シートは複数の曲がり部間に底面を形成し、曲がりゾーンの非熱溶着セクションが膨張して側面多辺形の開口を形成し、また開口の底部に支持面が形成される。
【発明の効果】
【０００６】
本発明は、側辺曲がりゾーンに予め設けられた非封止ゾーンを介して鋭角を除去し、更に曲がりゾーンの節点が気室及び曲がり節点間に位置する底部気室を利用して気室面積を変化させて当該ゾーンの緩衝効果を調整し、同時に外箱の縮小を実現したり、鋭角の摩擦割れにより気室が萎むという欠点を解消する。
また当該開口部の三角形周縁の気室面積の調整を利用して被包物とフィットさせ、隅角部の先鋭物を避け、緩衝弾性を増加させる等の長所を実現する。底部緩衝気室の構造は、袋体側辺封止により底部気室を空気注入して圧縮することで鋭角になる問題を解消する。また側辺曲がりゾーンの節点及び該部位の気室について熱溶着方法によりその面積の増減を調整して曲がりゾーンの緩衝効果を強化できる。
【０００７】
以下、実施形態において本発明の特徴及び長所を詳細に記述する。その内容は当業者に本発明の技術内容を理解してもらうと共にこれに基づいて実施させることができ、且つ本明細書に開示されている内容、特許請求の範囲及び図面に基づき、当業者は容易に本発明の関連の目的及び長所を理解できる。
【図面の簡単な説明】
【０００８】
【図１】本発明に係る第１の実施例の空気が注入されていない様子の外観図である。
【図２】本発明に係る第１の実施例の空気が注入された様子の断面図である。
【図３】本発明に係る第１の実施例の空気が注入された様子の外観図（一）である。
【図４】本発明に係る第１の実施例の空気が注入された様子の外観図（二）である。
【図５】本発明に係る第１の実施例の空気が注入された様子の側面図である。
【図６】本発明に係る第１の実施例の空気が注入された様子の側面断面図である。
【図７】本発明に係る第２の実施例の空気が注入されていない様子の上面図である。
【図８Ａ】本発明の側辺曲がりゾーンの気室減縮の外観図（一）である。
【図８Ｂ】図８Ａの空気が注入された様子の断面図である。
【図９Ａ】本発明の側辺曲がりゾーンの気室減縮の外観図（二）である。
【図９Ｂ】図９Ａの空気が注入された様子の断面図である。
【図１０Ａ】本発明の側辺曲がりゾーンの気室減縮の外観図（三）である。
【図１０Ｂ】図１０Ａの空気が注入された様子の断面図である。
【図１１Ａ】本発明の側辺曲がりゾーンの気室減縮の外観図（四）である。
【図１１Ｂ】図１１Ａの空気が注入された様子の断面図である。
【発明を実施するための形態】
【０００９】
本発明の、気室の曲がりゾーンに開口を予め設けた緩衝空気袋について、図１及び図２を参照しながら説明する。
【００１０】
本発明の気室付き袋は、気室シート２００と複数本の縦方向熱溶着線２１と複数本の横方向熱溶着線２２と複数の曲がり部４ａ、４ｂと両側所定曲がりゾーンの非熱溶着セクション及び所定縮小曲がりゾーンの非熱溶着セクションの気室に要する面積と、を含む。
【００１１】
気室シート２００は、両外側フィルム２で熱溶着して形成され、空気注入後自動的に空気を止める閉止弁を内蔵し、熱溶着を経て複数の密封体が形成されることで気室を形成し、また連通する空気注入通路５０及び各気室１の気体入気口が設けられる。空気注入後空気が空気注入通路５０に沿って各入気口５２を経由して気室に進入し、一方向閉止弁が設けられているため、空気注入後自動的に空気を閉止して空気注入通路５０、入気口５２が形成される。
気室シート２００に熱溶着方法により曲がり部４ａ、４ｂが設けられていて気室１を曲げることができ、気室シート２００が曲がると共にその両側辺において熱溶着し、一端が入り口１１を備えて物を収容できる空気注入式緩衝空気袋が形成される。この空気袋に空気を注入して膨張してＵ字曲げの気室袋が形成される。該袋体は連続式各気室独立の閉止弁或いは各気室と互いに通じる一方向閉止弁を組み合わせて使用できる。
両外側フィルム２は各々対応する内面を備え、また対向する複数の内面間に収納空間１０が形成され、気室１の一端が入り口１１を備える。そこで、両外側フィルム２は、ポリエステル類（ｐｏｌｙｅｓｔｅｒ）、エチレン−プロピレン共重合体、ポリエチレンテレフタレート（ＰＥＴ）、エチレン・酢酸ビニル（ＥＶＡ）、ポリプロピレン（ＰＰ）、ナイロン（Ｎｙｌｏｎ）、ＰＥと一緒に複合したフィルム、生分解性材料（ｂｉｏｄｅｇｒａｄａｂｌｅ  ｍａｔｅｒｉａｌｓ）、高分子材料が被覆した紙材等の熱溶融材料からなることができ、これは例を挙げただけであってこれらに限るものではない。
【００１２】
図１に示すように、中折れ線Ｍに沿って気室シート２００をＵ字に空気袋として二つ折りし、側辺熱溶着線２ａを介して空気袋の両側辺１ｂを接合して袋体１００として使用する。ここで、両側辺１ｂは、好しくは熱溶着方法により接合して使用する。
実際に使用する時も接着或いはその他の接合方法により両側辺１ｂを固定させることができるが、これに限らない。言い換えると、気室に曲がり部４ａ、４ｂと中折れ線Ｍと曲がりゾーンの非熱溶着セクション３が設けられる。つまり節点３１ａから節点３１ｂまでこの気室シート２００を中折れ線Ｍに沿って二つ折りし、また熱溶着線２ａを介して両側辺１ｂを熱溶着して接合した時、曲がりゾーン３にある側辺が熱溶着されない。
言い換えると、曲がりゾーンの非熱溶着セクション３外の両側辺は熱溶着で接着し、曲がりゾーンの非熱溶着セクション３内の側辺がオープン状態になる。そこで、中折れ線Ｍは仮想の線で、熱溶着方法で両外側フィルム１ａを接着する必要がなく、気室シート２００を二つ折りする中線とするだけでよい。
【００１３】
図１に示すように、ここで節点３１ａは開始点、節点３１ｂが終了点とし、この区間は予め設けられた非熱溶着の開口ゾーンで、つまり曲がりゾーンの非熱溶着セクション３を構成する。
【００１４】
図２、図３及び図４を参照しながら説明する。側辺熱溶着線２ａは節点３１ａから節点３１ｂまでの区間を熱溶着しないため、気室シート２００に空気が注入された後、自動的に空気を止める上に、側辺の気室１に曲がりゾーンの非熱溶着セクション３が保留されるため、該ゾーンの気室１が膨張して三角形気室を有する開口４０を自動的に形成する。
この構造は簡単で空気注入後の隅角部気室が突出する鋭角がなく、運送過程中に鋭角の摩擦により裂けが生じて空気を漏れることはなく、また外箱の側辺とフィットし、体積縮小効果を有し、且つ側面の三角形気室に緩衝空間があるため、更に該ゾーンの緩衝効果を向上する。また節点３１ａ、３１ｂはマークで、必ずしも熱溶着節点とするわけでもない。
【００１５】
図３と図５を参照しながら説明する。二つの圧縮隅角部４は複数の外側フィルム１ａに位置し、複数の外側フィルム１ａに空気が注入されて気室１を形成すると共にＵ字に曲げた時、曲がり部に各自圧縮隅角部４が形成され、該部の両外側フィルム１ａの間隔は曲げていない箇所の両外側フィルム１ａの間隔より小さい。
実質上曲がりゾーンの非熱溶着セクション３が両側圧縮隅角部４の位置に合わせて三角形を形成し、両側圧縮隅角部４の間が支持面４１ａを備えた底部緩衝気室４１を含む。言い換えると、気室シート２００に空気が注入された後、気室シート２００が節点３１ａ、３１ｂの間に底面４１ｂを形成し、曲がりゾーンの非熱溶着セクション３が膨張して側面多辺形の開口４０を形成し、また開口４０の底部に支持面４１ａが形成される。
袋体１００は入り口１１から物を入れた後、物品が収納空間１０にある時底部緩衝気室４１に当接支持でき、底部緩衝気室４１の支持面４１ａがテーブル面に当接支持して緩衝作用を行い、複数の外側フィルム１ａに空気が注入されて膨張すると共に三角形ゾーンに開口４０が形成される。
【００１６】
図６、図７を参照しながら説明する。本実施例内にある気室シート２００は閉止弁５を設けることができる。本実施例において両内側フィルム５３の間に複数の入気口５２を形成させることができ、各入気口５２が１個の気室１に対応する。
ここで、閉止弁５の構造は例として挙げただけであり、実際の構造ニーズによって同じ効果の構造を設けることができる。本発明はこれに限らず、例えば各気室にいずれもその閉止弁５が設けられ、よって閉止弁５の両内側フィルム５３の間に１個の入気口５２が形成される。閉止弁５の一部は両外側フィルム１ａの間に位置し、閉止弁５の他部分が空気注入通路５０から露出する。
本実施例は、好しくは両外側フィルム１ａにおいて熱溶着方法で接着して空気注入通路５０を形成して空気注入経路を提供する。
【００１７】
特に、閉止弁５は耐熱材５１を備え、熱溶着方法で接着して入気口５２が形成され、空気注入通路５０に連通する。好しくは、閉止弁５は、複数の内側フィルム５３を熱溶着方法で接着して形成される。複数の内側フィルム５３と複数の外側フィルム１ａの間は空気注入通路５０内に位置し、各々隣接する１枚の外側フィルム１ａと１枚の内側フィルム５３を接着する複数の熱溶着開閉５４を含む。
気体を空気注入通路５０に充填すると両外側フィルム１ａを外へ引っ張らせ、各熱溶着開閉５４により各対応する内側フィルム５３を外へ引っ張らせることで、相対的に閉止弁５を開き、空気注入通路５０内の気体を閉止弁５を経由して複数の外側フィルム１ａの間に充填させ、両外側フィルム１ａの間が膨張すると共に気室１が形成されてから気室１を曲げた後Ｕ字形を呈する。
【００１８】
本発明に係る第２実施例の図７を参照しながら説明する。本実施例と第１実施例との相違点は、本実施例の各気室１間が熱溶着線２により区画されることで各気室１が相互に通じることができない点である。
１本の熱溶着線２ともう１本の熱溶着線２間はピッチの長さを含み、該ピッチの長さの圧縮隅角部４位置にも第１距離ｄが形成され、該ピッチの長さの底部緩衝気室４１位置にも第２距離Ｄが形成され、且つ該第１距離ｄが第２距離Ｄを下回るため、圧縮隅角部４の第１距離ｄの長さが短く、底部緩衝気室４１の第２距離Ｄの長さが長く、気室１に空気が注入された後、圧縮隅角部４はその第１距離ｄが短いため曲げやすくなる。
特に、１本の熱溶着線２上の両圧縮隅角部４間は第１ピッチＬ１を含み、１本の熱溶着線２上の曲がりゾーンの非熱溶着セクション３が第１節点３１ａと第２節点３１ｂ間に位置し、且つ第２ピッチＬ２を含み、第１ピッチＬ１の長さが第２ピッチＬ２の長さを下回る。
【００１９】
側辺曲がりゾーンの気室減縮の実施例である図８Ａ、図８Ｂ、図９Ａ、図９Ｂ、図１０Ａ、図１０Ｂ、図１１Ａ及び図１１Ｂ図を参照しながら説明する。実際の使用時、側辺曲がりゾーンの気室１を減縮させることができる。
【００２０】
側辺は気室１が大きい時、曲がり部で自然に重なりを形成し側辺の気室１の過大が生じ、外箱が大きくなる。これを避けるため、側辺気室１の封止しない曲がりゾーンの非熱溶着セクション３において気室１の面積を縮小させることにより、曲がった後該気室１が重なって大きくなるという不利な効果が生じない。曲がりゾーンの非熱溶着セクション３とは、気室シート２００が中折れ線Ｍに沿って二つ折りした後の側辺非熱溶着を指す。、つまり気室シート２００の二つ折りした後の側辺が節点３１ａから他側の節点３１ｂまでに延伸する箇所は、非熱溶着とする。
ただし、両外側フィルム１ａは曲がりゾーンの非熱溶着セクション３箇所に熱溶着方法により接着して各種形状の熱溶着ゾーン３２を形成できる。例えば矩形、半楕円形、三角形等或いはその他不規則形状とする。
しかし熱溶着ゾーン３２の幅は気室１の幅より短いことで気室１が熱溶着ゾーン３２の前後区間を相互に通じて空気が注入して膨張させることができる。更に、曲がりゾーンの非熱溶着セクション３を構成する熱溶着ゾーン３２は曲がり部４ａ、４ｂと連結でき、曲がり部４ａ、４ｂ間と間隔を保持して気体の流通に供する。
その外、気室１の曲がりゾーンの非熱溶着セクション３における面積を縮小するため、熱溶着ゾーン３２の幅は該気室の幅より短く、熱溶着ゾーン３２の長さが曲がりゾーンの非熱溶着セクション３の長さより短いか等しくなる。側辺気室１の面積を縮小する方法は、次の通りとする。
【００２１】
（１）図８Ａ、図８Ｂを参照しながら説明する。該気室１の曲がり部４ａ以下から次の曲がり部４ｂまでの間において該区間の気室１を熱溶着する方法により、空気注入可能な面積を減縮し、空気注入後その体積が自動的に減少すると、気室１の曲がりゾーンが曲がって小さく狭くなる効果を奏する。
【００２２】
（２）図９Ａ、図９Ｂを参照しながら説明する。曲がり部４ａ及び曲がり部４ｂの前後に各該区間を各自減縮して曲がり部４ａ、４ｂの不連続減縮が形成される。空気注入後開口部から曲がり部４ａ、４ｂまでの気室１が広い幅から狭い幅になるのは、曲がり部４ａ、４ｂの各部の前後所定区間のみであり、こうすると開口４０のある緩衝空気袋の長所を持ち、曲げた気室１が重なって大きくなるという欠点がなく、開口部が開口４０の設置により緩衝効果を失効又は低下させることはない。
【００２３】
（３）図１０Ａ、図１０Ｂを参照しながら説明する。別の曲がりは、曲がり部４ａ、４ｂの減縮方式によるものとする。つまり曲がり部４ａ、４ｂの上及び該部以下から各々各該所定側辺非封止部まで減縮する。言い換えると、曲がり部４ａ及び曲がり部４ｂの間に空気が注入されて膨張する。空気注入後その曲がり部４ａ及び曲がり部４ｂの気室１は減縮せずに膨らむため緩衝効果を持ち、また気室１の曲がりによって重なって大きくなるという欠点がない。
【００２４】
（４）図１１Ａ、図１１Ｂを参照しながら説明する。図に示すように曲がり部４ａ及び曲がり部４ｂの減縮の別の方式を更に提出する。つまり減縮ゾーンは所定側辺非封止部の節点３１ａから他側の節点３１ｂ箇所まで延伸する。言い換えると、非封止の三角形開口４０の該気室１が細くなり、その他の気室１もそのまま維持する。
【００２５】
本発明に係る気室の曲がりゾーンに開口を予め設けた緩衝空気袋の製造方法は、次のステップを含む。
【００２６】
ステップ１０１：複数本の縦方向熱溶着線２１と複数本の横方向熱溶着線２２で両外側フィルム１ａを接着して複数の気室１が形成されてなる気室シート２００を提供する。
【００２７】
ステップ１０２：熱溶着方法により両外側フィルム１ａを接着し、複数の気室１或いは複数本の縦方向熱溶着線２１に曲がり部４ａ、４ｂが形成される。
【００２８】
ステップ１０３：気室シート２００に実質上複数本の横方向熱溶着線２２に平行する中折れ線Ｍが設けられる。
【００２９】
ステップ１０４：該中折れ線Ｍの両側に所定距離の各々間隔がある複数の節点３１ａ、３１ｂが設けられる。
【００３０】
ステップ１０５：  中折れ線Ｍに沿って気室シート２００を曲げる。
【００３１】
ステップ１０６：複数本の側辺熱溶着線２ａで熱溶着方法により曲げた後の気室シート２００の両側辺１ｂを接着し、複数本の側辺熱溶着線２ａが気室シート２００の一端から節点３１ａ、節点３１ｂと中折れ線Ｍまでに延伸して曲がりゾーンの非熱溶着セクション３を形成する。
【００３２】
ステップ１０７：空気注入後該曲がりゾーンの開口４０には、側辺非鋭角三角形開口を有する緩衝袋体１００が形成される。
【００３３】
気室シート２００に空気が注入された後、気室シート２００は曲がり部４ａ、４ｂの間に底面４１ｂを形成し、曲がりゾーンの非熱溶着セクション３が膨張して側面多辺形の開口４０を形成し、また開口４０の底部に支持面４１ａが形成される。
【００３４】
両外側フィルム１ａに空気が注入されて膨張し、また両外側フィルム１ａに両圧縮隅角部４が形成され、実質上曲がりゾーンの非熱溶着セクション３と両圧縮隅角部４で三角形開口４０が形成され、両圧縮隅角部４間に底部緩衝気室４１が形成され、底部緩衝気室４１を介して外部物品を緩衝する。
【００３５】
ステップ１０１の該両外側フィルム１ａ提供ステップの後に、閉止弁５の提供を更に含む。閉止弁５の構造は先に述べた通りであり、ここでは繰り返しの記述を省略する。気体を空気注入通路５０に充填して両外側フィルム１ａを外へ引っ張り、複数の熱溶着開閉５４で両内側フィルム５３を外へ引っ張って閉止弁５を開き、空気注入通路５０内の気体が閉止弁５を経由して複数の外側フィルム１ａに充填される。
【００３６】
ステップ１０２の複数の熱溶着線２提供ステップにおいて、複数の縦方向熱溶着線２１間にピッチを有する。言い換えると圧縮隅角部４にある距離ｄは底部緩衝気室４１の距離Ｄを下回る（図７に示すように）。
【００３７】
気室の曲がりゾーンに開口を予め設けた緩衝空気袋の製造方法について、その他の説明は前記の緩衝空気袋に関する内容と同様であるため、ここでは再度の記述を省略する。
【００３８】
本実施例の気室袋は、入り口を経由して物を内部空間に入れ、複数の底部緩衝気室で物の表面を支持して物に緩衝効果を持たせ、また気室袋で物の外側を包むことで防護効果を兼ね備える。所定側辺の曲がりゾーンの非封止セクション及び該気室は曲がりゾーンの所定面積を減縮して側辺緩衝効果を調整する。
該緩衝空気袋に空気が注入された後自動的に側辺隅角部三角形が形成され、一側辺が平坦で非鋭角となり、他側が安定してテーブル面に当接でき、気室袋がテーブル面に転倒することがなく、空気が注入されて膨張して形成した三角形気室はコーナー緩衝の調整に属し、外箱空間の縮小に役立ち、運賃削減目的を達成する。
【符号の説明】
【００３９】
１００        袋体
２００        気室シート
１            気室
１ａ          外側フィルム
１ｂ          側辺
１０          収納空間
１１          入り口
２１          縦方向熱溶着線
２２          横方向熱溶着線
２ａ          側辺熱溶着線
３            曲がりゾーンの非熱溶着セクション
３１ａ／３１ｂ節点
３２          熱溶着ゾーン
４            圧縮隅角部
４ａ／４ｂ    曲がり部
４０          開口
４１          底部緩衝気室
４１ａ        支持面
４１ｂ        底面
５            閉止弁
５０          空気注入通路
５１          耐熱材
５２          入気口
５３          内側フィルム
５４          熱溶着開閉
Ｄ            第１距離
ｄ            第２距離
Ｌ１          第１ピッチ
Ｌ２          第２ピッチ
Ｍ            中折れ線
【要約】
【課題】気室曲がりゾーンに開口を予め設けた緩衝空気袋及び製造方法を提供する。
【解決手段】複数本の縦方向熱溶着線と複数本の横方向熱溶着線で両外側フィルムを接着して複数の気室が形成されてなる気室シートを提供し、熱溶着方法により両外側フィルムを接着し、複数の気室或いは複数本の縦方向熱溶着線に複数の曲がり部を形成し、気室シートに実質上横方向熱溶着線に平行する中折れ線を設け、中折れ線の両側に所定距離の間隔がある複数の節点を設け、中折れ線に沿って気室シートを曲げ、複数本の側辺熱溶着線で熱溶着方法で曲げた気室シートの両側辺を接着する。複数本の側辺熱溶着線が気室シートの一端から複数の節点に延伸し、複数節点と中折れ線の間に曲がりゾーンの非熱溶着セクションが形成され、気室シートに空気が注入された後、複数の曲がり部間に底面を形成し、曲がりゾーンの非熱溶着セクションが膨張して側面多辺形の開口を形成し、開口の底部に支持面が形成される。
【選択図】図１【図１】
0005542979.tif 000002
【図２】
0005542979.tif 000003
【図３】
0005542979.tif 000004
【図４】
0005542979.tif 000005
【図５】
0005542979.tif 000006
【図６】
0005542979.tif 000007
【図７】
0005542979.tif 000008
【図８Ａ】
0005542979.tif 000009
【図８Ｂ】
0005542979.tif 000010
【図９Ａ】
0005542979.tif 000011
【図９Ｂ】
0005542979.tif 000012
【図１０Ａ】
0005542979.tif 000013
【図１０Ｂ】
0005542979.tif 000014
【図１１Ａ】
0005542979.tif 000015
【図１１Ｂ】
0005542979.tif 000016